(57)【要約】【課題】  無線端末内蔵アンテナ周囲の人体、手、導電部材によるアンテナ特性の変化及び放射電力の吸収によって通信の伝搬経路の劣化が生じ通信環境が悪くなる。【解決手段】  内蔵アンテナの反射電力検出手段、受信ＡＧＣ電圧検出手段、メッセージ表示手段を設け、反射電力、受信ＡＧＣ電圧が閾値以上か否かによって通信環境が良好か否かを判定し、判定結果に基づいてその旨をユーザにメッセージ表示手段を用いて告知し、一定時間改善を促し一定時間経過後送信を開始する構成とする。【選択図】  図１
2006217200.tif 000002
【特許請求の範囲】
【請求項１】
無線端末の送信時に内蔵アンテナから反射される反射電力を検出する反射電力検出手段、前記反射電力検出手段出力が閾値以上か否かを判定する反射電力レベル判定手段、前記無線端末の受信時に受信信号からＡＧＣ電圧を生成する受信ＡＧＣ電圧生成手段、前記受信ＡＧＣ電圧生成手段の受信ＡＧＣ電圧レベルが閾値以上か否かを判定するＡＧＣ電圧レベル判定手段と前記無線端末の無線通信環境状態を前記無線端末ユーザに告知する通信環境状態告知手段、前記無線端末の無線通信環境状態を判定する為の時間を設定するタイマー設定手段を有し、前記無線端末の無線通信環境状態を前記反射電力判定手段と前記ＡＧＣ電圧レベル判定手段の判定結果に基づいて、前記無線端末ユーザに前記通信環境状態告知手段を用いて告知すると共に、前記タイマー手段の設定時間内の無線通信環境状態の状態に応じて無線通信を開始するか否かを判定する事を特徴とする無線通信端末装置。
【請求項２】
前記無線端末装置において画像データを送信するための送信開始ボタンを押下した事を検出した場合、前記無線端末装置周辺の通信相手からのビーコンの受信状態を検出し、ビーコンが検出されないと判定した場合前記無線端末装置からプリアンブル信号を送信し前記無線端末装置の内蔵アンテナから反射される反射電力を前記反射電力検出手段により検出し、前記反射電力レベル判定手段に於いてあらかじめ記憶されている閾値より反射電力が大きいと判定とした場合前記通信環境状態告知手段を用いて通信環境状態が良くない旨のメッセージをユーザに告知すると共に、前記タイマー手段の設定時間以内に前記反射電力レベル判定手段の判定結果に変化がなければ前記タイマー設定時間経過後通信接続を断する事を特徴とする特許請求の範囲第１項記載の無線通信装置。
【請求項３】
前記無線端末装置において前記無線端末装置において画像データを送信するための送信開始ボタンを押下した事を検出した場合、前記無線端末装置周辺の通信相手からのビーコンの受信状態を検出し、ビーコンが検出されたと判定した場合、ビーコン受信時の受信ＡＧＣ電圧を記憶部に一旦格納し、前記無線端末からプリアンブル信号を送信し前記無線端末の内蔵アンテナからの反射電力を前記反射電力検出手段にて検出し、反射電力レベル判定手段において反射電力が閾値以上である場合は、前記受信ＡＧＣ電圧レベル判定手段において受信ＡＧＣ電圧レベルが閾値以上であるか否かを判定し、閾値以上である場合は前記通信環境状態告知手段を用いて通信環境状態が良くない旨のメッセージをユーザに告知すると共に、前記タイマー手段の設定時間以内に前記反射電力レベル判定手段および前記受信ＡＧＣ判定手段の判定結果に変化があり、前記無線端末の通信環境状態が変化した場合は前記タイマー設定時間経過を待たずに通信接続を開始し、前記タイマー手段の設定時間以内に前記反射電力レベル判定手段および前記受信ＡＧＣ判定手段の判定結果に変化がない場合、前記タイマー設定時間経過を待って通信接続を開始する事を特徴とする特許請求の範囲第１項記載の無線通信装置。
【発明の詳細な説明】
【技術分野】
【０００１】
本発明は例えば各種データ通信、移動体通信等の無線機用アンテナとして用いられる小型内蔵アンテナを用いた無線端末装置に関する。
【背景技術】
【０００２】
近年、各種の移動体通信端末の小型軽量、データ速度の高速化が進んできており、それに伴って使用周波数もデータ速度の高速化による広帯域の必要性から更に高い周波数へシフトしてきている。
【０００３】
使用周波数が高くなるにつれて、無線機を構成する高周波部品の小型化もやりやすくなり、それに伴って携帯端末もさらに小型化されるようになってきた。またデザイン的な面や、強度的な面等から、端末機器が外部の障害物に接触したり、落下させる事により破損しない様、使用するアンテナもホイップアンテナの様に無線端末の外に飛び出さず、機器の内部に組み込む様なチップアンテナ等も利用されてきている。
【０００４】
小型無線端末にアンテナが内蔵された場合、その小型無線端末を手で持つ事によって送受信を行う際に手の影響が問題になってくる。
【０００５】
人体、特に手等は無線端末の送受信周波数（例えばＩＳＭバンド）では送受信電力を吸収したり、散乱などを生じ空中に放射する電力を低下させたり、また放射特性を劣化させたりする。
【０００６】
また手などを無線端末に近接させる事によって内蔵アンテナの入力インピーダンスを変化させ、送信アンプからの高周波信号をアンテナに供給する比率を低下させる事によってこれまた空中の放射する送信電力の低下を引き起こす。手などは高周波的に非常に高い誘電率の物質としてみなされるからである。
【０００７】
よって高い誘電体部材がアンテナに近接することによってアンテナのインピーダンスが変化してしまい、調整されたインピーダンスからはずれてしまう。このように内蔵アンテナの特性が変化しても良好な通信を維持するための方法としてアンテナを複数個用いたアンテナダイバーシティによるアンテナ切り換えを行う方法がある。
【０００８】
アンテナダイバーシティを行うには当然複数個の受信アンテナが必要となる。それぞれのアンテナの位置をある程度の距離を持たせて配置させた空間ダイバーイティ、またアンテナの指向性が異なる複数個のアンテナを配置した、偏波ダイバーシティ等があり、それぞれ通信環境状態によって各々効果を発揮する。
【０００９】
また複数個のアンテナの受信信号を合成し、複数のアンテナから受信電力を得る方法もある。
【００１０】
またＴＤＤ方式の通信では送信アンテナで送信したデータを受信相手が受信した際の通信品質を通信相手から通信品質情報として送信してもらう事によって各々のアンテナで送信した場合の伝搬状況を把握することができる。このように通信相手側での受信状態を情報として受信する事によって伝搬特性の良好なアンテナを選択する事によって最適な通信状態を確保するアンテナダイバーシティもある。
【００１１】
また小型携帯端末の場合人体に近接させて使用する場合が多く例えば携帯電話
の場合人体頭部に近接させて使用するため、人体への電波の吸収に伴うＳＡＲ対策や、人体頭部のアンテナ特性に与える悪影響などを考慮した送信ダイバーシティ等がある。
【００１２】
特にアンテナが携帯機器に内蔵している場合は、使用者はアンテナの位置を意識できないため、手に持つ事によるアンテナの特性の劣化や手における電波の吸収などによるアンテナからの放射電力の低下が十分考えられる。
【００１３】
その対策として手の影響によるアンテナ特性劣化を防ぐ為の送信アンテナダイバーシティがある。
【００１４】
図６にその例を示す。
【００１５】
図６において６０１、６０２は送受信アンテナ１、２、６０３、６０４は反射電力検出器１、２、６０５はアンテナ切替え器、６０６は送受切替え器、６０７は受信無線周波数部、６０８は復調部、６０９は制御部６１０は変調部、６１１は送信無線周波数部である。
【００１６】
図において送信すべきデジタルデータは６０１の変調部に於いて所望の変調方式を用いて変調信号に変換され６１１の送信無線周波数部において所望の無線周波数にアップコンバートされる。
【００１７】
送信無線周波数に変換された送信信号は６０６の送受切替え器において制御部６０９より送信のタイミングで送受切替え信号によって送信無線周波数部に切替えられる。
【００１８】
その後送信信号は６０５のアンテナ切替え器に供給され制御部６０９からのアンテナ切替え信号によって６０１のアンテナ１もしくは６０２のアンテナ２のいずれかに切替えられ無線周波数信号として空中に放射される。
【００１９】
６０１のアンテナ１もしくは６０２のアンテナ２で受信した受信信号は６０１の制御部からのアンテナ切替え信号によっていずれかのアンテナに切替えらえれ６０６の送受切替え器に供給され制御部６０９からの送受切替え信号によって６０７の受信無線周波数部に供給され所望の中間周波数信号もしくは直接ベースバンド信号に変換され６０８の復調部に供給され所望の復調動作によってデジタルデータに復調される。
【００２０】
ここで送信時には６０１のアンテナ１に接続されている６０３の反射電力検出器と６０２のアンテナ２に接続されている反射電力検出器６０４はそれぞれ接続されているアンテナからの反射される電力を検出する構成となっている。
【００２１】
つまり送信時に選択されているアンテナの状態によっては送信無線周波数信号はアンテナに供給されず一部反射電力として戻される場合が生じる。
【００２２】
例えばアンテナの周辺を手で覆った場合などアンテナの共振周波数が所望の帯域からはずれてしまいアンテナとアンテナ切替え器との間でインピーダンスの不整合が生じる場合等がある。
【００２３】
このような場合それぞれのアンテナからの反射電力を検出し、反射電力が一定でベル以上になった場合はそのアンテナを使用して送信動作を行う事を止めて他のアンテナに切替えて送信動作を行う。
【００２４】
よって例えば６０１のアンテナ１で送信信号を送信している際に６０１のアンテナの周辺に手や他の誘電体物体が近接してアンテナの共振周波数が変動した場合など６０３の反射電力検出器から出力される出力信号Ｓ６０３を制御部６０９に取り込み、そのレベルがある一定レベル以上になった場合はアンテナの状態が悪いと判断して送信するアンテナを６０２のアンテナ２に切替えて送信する。
【００２５】
又、別の従来例としては、例えば特許文献１と特許文献２をあげることが出来る。
【特許文献１】特開２００２−４４１８７号公報
【特許文献２】特開２００４−２７４７２８号公報
【発明の開示】
【発明が解決しようとする課題】
【００２６】
しかしながら、前記従来例の各アンテナの反射電力を検出する事によって人体、手などの影響を回避する送信ダイバーシティ方式の場合、アンテナが複数個必要でありコストアップになる。
【００２７】
また小型携帯端末に内蔵アンテナを配置するには、アンテナの特性を最大限に生かすためにアンテナ周辺に金属導体などが存在しない事が要求される。
【００２８】
また複数の内蔵アンテナは互いに影響しないよう、相関を低くするためにある程度距離を離す必要がある。例えば使用周波数の波長をλとするとλ／４以上の距離を離す事が要求される為、複数のアンテナを配置するには配置場所が限定される場合が生じる。
【００２９】
またアンテナの特性を重視してアンテナの配置を決定するためにはアンテナ周辺の部材の配置変更など装置の配置構成を大幅に変更する事を余儀なくされる。
【００３０】
以上従来技術の問題を鑑み本発明の目的は無線端末機器が更に小型化された時
にも、このような不都合を解決し特に複雑なアンテナダイバーシティを行わず、回路規模も少なく、低コストで良好な送受信が可能となるような小型無線端末装置を提供する事にある。
【課題を解決するための手段】
【００３１】
本発明は上述した課題を解決する事を目的としてなされたもので上述した課題を解決する手段として以下の構成を備える。
【００３２】
無線端末から無線接続のためのプリアンブル信号を送信時に内蔵アンテナからの反射電力を検出する反射電力検出手段、反射電力検出手段の出力が閾値以上か否かを判定する反射電力レベル判定手段、無線端末受信時の受信ＡＧＣ電圧生成手段、受信ＡＧＣ電圧生成手段からの受信ＡＧＣ電圧レベルが閾値以上か否かを判定するＡＧＣ電圧レベル判定手段、反射電力レベル判定手段、ＡＧＣ電圧レベル判定手段の判定結果に応じた無線通信環境状態を告知告知する通信環境状態告知手段を有する無線端末装置である。
【００３３】
無線端末装置において画像データを送信するための送信ボタンを押下した事を検知した場合、無線端末装置周辺の通信相手からのビーコンの受信状態を検出し、ビーコンが検出状態にないと判定した場合、無線端末からプリアンブル信号を送信し内蔵アンテナから反射される反射電力を反射電力検出手段により検出し、反射電力レベル判定手段において反射電力があらかじめ記憶部に格納されている閾値と比較し、比較判定結果に応じた告知メッセージを告知手段にてユーザに告知する。
【００３４】
無線端末装置において画像データを送信するための送信ボタンを押下した事を検知した場合、無線端末装置周辺の通信相手からのビーコンの受信状態を検出し、ビーコンが検出状態の場合はビーコン受信時の受信ＡＧＣ電圧を記憶部に一旦格納し、無線端末からプリアンブル信号を送信し内蔵アンテナから反射される反射電力を反射電力検出手段により検出し、反射電力レベル判定手段において反射電力があらかじめ記憶部に格納されている閾値以上か否かを比較し、閾値以下の場合は通常の接続開始手順に従って接続を開始する。
【００３５】
反射電力レベル判定手段において反射電力があらかじめ記憶部に格納されている閾値以上か否かを比較し閾値以上の場合は、受信ＡＧＣ電圧レベル判定手段に於いてビーコン受信時のＡＧＣ電圧レベルがあらかじめ記憶部に格納されている閾値以上か否かを比較し閾値以下の場合は通常の接続開始手順に従って接続を開始する。
【００３６】
閾値以上の場合はその旨の告知メッセージを告知手段にてユーザに告知する。
【００３７】
一定時間以内に反射電力レベル、ＡＧＣ電圧レベルに変化あれば通常の接続を開始し、一定時間経過後変化がない場合、ユーザにその旨の告知メッセージを
告知手段を用いて告知し通常の接続を開始する。
【発明の効果】
【００３８】
本発明の構成によれば人体近接によりアンテナ特性が劣化したり、手などでの電波の吸収による送信レベルの低下があった場合、その状態での無線接続を回避し、状況の改善をユーザに促す事によって良好な伝搬状況での確実な無線接続を実行する。
【００３９】
無線端末機器が更に小型化された時にも、特に複雑なアンテナダイバーシティを行わず、回路規模も少なく、低コストで良好な送受信が可能となるような小型無線端末装置を提供できる。
【発明を実施するための最良の形態】
【００４０】
（第１の実施形態）
図４は本発明の画像データを無線接続によって伝送する無線端末装置の概観図である。
【００４１】
図中４０１は無線端末筐体で筐体材質は導電部材で構成されており、４０２は無線端末筐体４０１の内蔵されたアンテナでありアンテナ４０２周辺の筐体は樹脂部材により構成され、アンテナ４０２から放射される電波を空中へ放射する様に構成されている。
【００４２】
４０５は撮影する画像のモニタリングを行うＬＣＤなどの画像モニタ、４０６は撮影した画像を無線接続によって送信開始を行うための送信開始ボタン、３０７は撮影モード設定のためのモードダイアル、４０８は撮影画像取り込み開始を行うレリースボタン、４０９は撮像レンズである。
【００４３】
４０１の無線端末にて撮影した画像を周辺の無線端末装置に無線接続によって送信する際、送信開始ボタン４０６が押下されると、撮影画像データを無線端末内の画像メモリ（図示せず）から取り出し無線端末内の無線部（図１）を介して４０２のアンテナから無線周波数信号として送信する。
【００４４】
このとき無線端末４０１に内蔵されてるアンテナ４０２周辺をユーザの手で塞いでいたり、アンテナ４０２周辺に導電部材などが接触している場合アンテナ４０２の特性が変化して送信すべき無線周波数信号がアンテナ４０２から放射されずに反射して無線部に戻ってしまう場合がある。
【００４５】
このような状況が発生した場合送信開始ボタン４０６が押下された後そのままの状態で画像データを送信しても通信環境が悪く受信側でエラーレートが低かったり画像データを送信するのに時間がかかったりする場合がある。
【００４６】
本発明では無線端末４０１に於いて画像データを送信するための送信開始ボタン４０６を押下された場合直ちに通信相手と無線接続動作を開始する前に、無線端末４０１に内蔵されているアンテナ４０２の周囲の状態、例えばユーザの人体、手などがアンテナ４０２を覆っていないか否か、また内蔵アンテナ４０１の周囲に導電性の物体が近接していないか否かを内蔵アンテナ４０２の反射電力を検出する事により判定する。
【００４７】
送信ボタン４０６が押下された際にアンテナ４０２の反射電力が閾値以上であり、反射電力が著しく大きい場合はその状態での無線接続動作は行わず、ユーザにアンテナ４０２周辺の環境の為，［通信環境が良くありません］等の告知メッセージをメッセージ表示部４０３に表示する事によって一旦ユーザに知らしめる。
【００４８】
その後一定時間以内にアンテナ４０２周辺の環境に変化が生じアンテナ４０２の反射電力が閾値以下になったら通常の無線接続動作を開始する。
【００４９】
一定時間経過してもアンテナ４０２周辺の環境に変化がなくアンテナからの反射電力が閾値以上の場合は接続動作を行わない。
【００５０】
図１は本発明の実施例を示す無線端末装置の無線部のブロック図である。
【００５１】
図中１１５の信号処理部に於いて所望のデジタル変調動作を受けて送出された変調信号はＤ／Ａ変換器１１６に於いてデジタル信号からアナログ信号に変換される。送信すべきデジタル変調信号は信号処理部１１５内部で送信データに所望のデジタル変調動作を行い，更に拡散符号発生器（図示せず）を用いて広帯域の拡散信号として生成されたものである。
【００５２】
周波数変換器１１７は広帯域の変調信号を周波数シンセサイザ１０８から供給される局部発振周波数と乗算し、所望の無線周波数に変換する。
【００５３】
周波数変換された広帯域無線信号は後段の帯域炉波器１１８において不要波成分を除去され、後段の電力増幅器１１９に供給されて所望の電力に増幅される。
【００５４】
その後送受切換スイッチ１０３を介して帯域炉波器１０２において不要波成分が除去される。
【００５５】
帯域炉波器１０２の出力は１０１の方向性結合器に供給されアンテナ１００を介して空中に放射される。
【００５６】
このときアンテナ１００からの反射された電力は方向性結合器１０１の他方の出力端に出力され反射電力検出器１２０に供給される。
【００５７】
反射電力検出器１２０に供給されたアンテナ１００からの反射電力は反射電力検出器１２０に於いて電圧に変換され、反射電圧レベル信号として１２１の反射電力判定部においてあらかじめ格納されている閾値レベルと比較される。
【００５８】
次に受信部の構成について説明する。
【００５９】
アンテナ１００に入力された受信信号は帯域炉波器１０２と送受切換スイッチ１０３を介して低雑音増幅器１０４に供給され所望のレベルに増幅され帯域炉波器１０５に供給され不要な高調波成分を除去され可変利得増幅器１０７に供給され後述の１１１のＡＧＣ電圧生成部からのＡＧＣ制御電圧によって所望の出力となるように制御される。
【００６０】
可変利得増幅器１０７の出力は１０９のＢＢ復調器に供給され１０８の周波数シンセサイザからの局部発振周波数によって周波数変換されると共に、Ｉ，Ｑチャネルのベースバンド信号に変換され、Ｉチャネル信号は１１３ａのＬＰＦを介して高調波が除去され更にその出力は１１４ａのＡ／Ｄ変換器に供給される事によってデジタル信号に変換されると共に１１５の信号処理部に供給され所望の処理を受ける。
【００６１】
同様にベースバンド復調器１０９のＱチャンネル信号はＬＰＦ１１３ｂを介して高調波成分が除去され更にその出力はＡ／Ｄ変換器１１４ｂに供給される事によってデジタル信号に変換され１１５の信号処理部に供給され所望の処理を受けるベースバンド復調器１０９の一方の出力は受信レベル検出器１１０に供給されそのベースバンド復調レベルが検出され、受信レベル検出器１１０の出力はＡＧＣ電圧生成部１１１に供給され所望のＡＧＣ電圧レベルが生成され１１２のＤ／Ａ変換器に送出されると共にＡＧＣ電圧判定部１０６に供給されあらかじめ格納されている閾値レベルと比較される。
【００６２】
Ｄ／Ａ変換器出力は可変利得増幅器１０７へ供給され１０７の可変利得増幅器を所望の増幅率に設定し、受信信号レベルを一定に保つように動作する。
【００６３】
ここで図１においてアンテナ１００からの反射電力検出動作に関して説明する。
【００６４】
送信時の内蔵アンテナ１００の前段に接続されている方向性結合器１０１は帯域炉波器１０２の出力送信信号を受けてそのまま送信信号をアンテナ１００に供給すると共にアンテナ１００からの反射信号を反射電力検出器１２０に供給する。
【００６５】
アンテナ近傍に人体、手等が近接した場合，アンテナのインピーダンスが変動しする事によってアンテナの入力端において不整合が生じアンテナへの電力供給が十分できなくなり、結果としてアンテナからの放射電力が減少すると共にアンテナへの入力電力の一部は反射電力として方向性結合器１０１を介して反射電力検出器１２０に供給される。
【００６６】
図２（ａ）にアンテナ近傍に人体，手などが近接した場合のアンテナの入力反射特性の概略特性例を示す。
【００６７】
図２（ａ）において横軸は周波数、縦軸はアンテナの入力端でのリターンロス、ｆ０はアンテナを内蔵する筐体に合わせて調整されたアンテナの共振周波数、ｆ１は使用する周波数帯域の最も低い周波数、ｆ２は使用する帯域の最も高い周波数でｆ２−ｆ１が使用周波数の帯域幅となる。
【００６８】
図中横線はリターンロスが概ね−１０ｄＢのラインを示し、このライン以下のリターンロスであればアンテナに送信信号が十分供給されているものとする。
【００６９】
図２（ａ）において曲線（ａ）は通常のアンテナと筐体とで整合がとれている場合のリターンロスを示す曲線を示し使用周波数帯域内において良好な反射特性を示している。
【００７０】
曲線（ｂ）は人体，手などがある程度近接している場合のアンテナのリターンロスで共振周波数が人体，手などの影響で使用周波数帯域の中心周波数から低い周波数にシフトしている状態を示す。
【００７１】
曲線（ｃ）は更に人体，手などがアンテナ全体に近接している場合のアンテナのリターンロスで人体，手などの影響でアンテナの入力インピーダンスが大幅に変化し、アンテナの共振周波数が使用周波数帯域から外れてしまっている様子を示している。
【００７２】
このような場合アンテナ１００に供給された送信信号はアンテナ１００に供給されず反射してしまう。
【００７３】
図１のアンテナ１００がこのような状態の時の１２０の反射電力検出器からの出力信号Ｓ１０３は図２（ｂ）のようになる。
【００７４】
図２（ｂ）において（ａ）の示す電圧Ｖｌは図２（ａ）における反射特性曲
線（ａ）のときの反射電力検出器出力に相当し、同じく図２（ｂ）において（ｂ）、（ｃ）の示す電圧Ｖｍ，Ｖｈは図２（ａ）における反射特性曲線（ｂ）、（ｃ）の時の反射電力検出器出力に相当する。
【００７５】
図２（ａ）のアンテナ入力特性においてアンテナの共振周波数が使用帯域の中心周波数からずれていく事によってアンテナからの反射電力は増大していき、結果として反射電力検出器の出力がｖｌ、Ｖｍ，Ｖｈの順に増大していく。よってあらかじめ記憶部（図示せず）に例えばＶｈの電圧レベルを閾値として格納しておき反射電力判定部１２１に於いて反射電力レベルが閾値を超えているか否かを判定する。
【００７６】
図３（ａ），（ｂ）に本発明の画像データ送信開始手順のフローチャートを示す。図３において送信開始時の動作手順を受信状態にて周囲の無線端末からのビーコンが受信されているか否かの場合に分けて説明する。
【００７７】
図３（ａ）に画像データを送信開始時において周囲の無線端末からのビーコンが受信されていない場合の画像データ送信手順について説明する。
【００７８】
無線端末より送信すべき画像データをするための送信ボタンを押下時、周囲の
無線端末からのビーコンが受信されているか否かを判定し、ビーコンが受信さ
れていない場合、まず無線端末よりＳ３０１にてプリアンブル信号を送信し、無線端末に内蔵されているアンテナの状態を図１の１２０の反射電力検出手段の出力と１２１の反射電力レベル判定手段において反射電力があらかじめ記憶部（図示せず）に格納されている閾値とをＳ３０２にて比較し、内蔵アンテナ１００の動作状態が著しく劣化しているか否かを判定する。
【００７９】
反射電力が閾値以下の場合、Ｓ３０２にて内蔵アンテナ１００の動作状態は良好に動作していると判断しかつ周囲の無線端末からのビーコンが受信されない事からＳ３０４で画像データを送信すべき無線端末が存在しない旨の告知を例えば［通信相手が見つかりません］等のメッセージとしてメッセージ表示部４０３にてユーザに告知する。
【００８０】
Ｓ３０２において反射電力が閾値以上であると判定した場合は内蔵アンテナ１００の動作状態が人間の手、金属物体等の影響で劣化していると判定し、Ｓ３０３にてその旨の告知を例えば［通信環境がよくありません］等のメッセージとしてメッセージ表示部４０３にてユーザに告知し、Ｓ３０５にて一定時間経過したか否かを判定し、一定時間以内にＳ３０２にて反射電力が閾値以下になった場合内蔵アンテナ１００の特性は一定時間内に良好な特性に変化したものと判定し、アンテナ１００の特性が良好であるにもかかわらず他の無線装置のビーコンが受信できていない事から接続相手が存在しない旨を例えば［通信相手が見つかりません］等のメッセージとしてメッセージ表示部４０３にてＳ３０４でユーザに告知する。
【００８１】
一定時間経過してもＳ３０２において反射電力が閾値以上であると判定された場合通信環境が劣悪であると判断しＳ３０６にて通信の接続を停止する。
【００８２】
次に無線端末より送信すべき画像データをするための送信ボタンを押下時、周囲の無線端末からのビーコンが受信されているか否かを判定し、ビーコンが受信されている場合Ｓ３０７にて受信ＡＧＣ電圧検出手段１０６からのＡＧＣ電圧を記憶部（図示せず）に格納する。
【００８３】
その後無線端末よりＳ３０８にてプリアンブル信号を送信し、無線端末に内蔵されているアンテナ１００の状態を反射電力検出手段１２０の出力と反射電力レベル判定手段１２１で反射電力があらかじめ記憶部（図示せず）に格納されている閾値と比較し、Ｓ３０９にて内蔵アンテナの動作状態が著しく劣化しているか否かを判定する。
【００８４】
Ｓ３０９において反射電力が閾値以下の場合、内蔵アンテナ１００の動作状態は良好に動作していると判断しＳ３１３にて無線端末は通常の接続動作を行う。
【００８５】
３０９にて反射電力が閾値以上であると判定した場合内蔵アンテナ１００の動作状態が人間の手、金属物体等の影響で劣化していると判定すると共にビーコン受信時に記憶部に格納されているＡＧＣ電圧レベルとあらかじめ記憶部に格納されている閾値と比較し、Ｓ３１０にてＡＧＣ電圧レベルが閾値以下である場合は受信レベルは十分とれており、送信相手の無線端末が十分近い距離に存在していると判断し、内蔵アンテナ１００の動作状態が人間の手、金属物体等の影響で劣化しているとＳ３０９にて判定されているにも拘わらず通信相手が十分近距離である事から通信環境は良好であると判断しＳ３１３にて通常の接続動作を開始する。
【００８６】
Ｓ３１０にてビーコン受信時に記憶部に格納されているＡＧＣ電圧レベルとあらかじめ記憶部に格納されている閾値と比較し、ＡＧＣ電圧レベルが閾値以上であると判定した場合は受信レベルは十分確保できておらず受信信号のＳ／Ｎは低いと判断されることからその旨をＳ３１１において例えば［通信環境がよくありません］等のメッセージとしてメッセージ表示部４０３にてユーザに告知する。
【００８７】
Ｓ３１２にて一定時間経過したか否かを判定し、一定時間以内に通信環境をユーザに告知した結果、内蔵アンテナ１００の周辺の手、金属導体などの環境が変化してＳ３０９にて反射電力が閾値以下になった場合、内蔵アンテナ１００の動作状態は良好に動作していると判断し無線端末はＳ３１３にて通常の接続動作を行う。また一定時間以内に通信環境をユーザに告知した結果ユーザが通信相手の無線端末に接近したり伝搬環境が変化してＳ３１０にてＡＧＣ電圧が閾値以下になり受信レベルが十分確保でき、場合通信環境は良好と判断した場合、無線端末はＳ３１３にて通常の接続動作を行う。
【００８８】
Ｓ３１２において一定時間経過してもＳ３０９にて反射電力が閾値以上であったり、Ｓ３１０にてＡＧＣ電圧が閾値以上であった場合は通信環境は比較的良好ではなく、受信Ｓ／Ｎも比較的良好ではない状態の通信環境であるが通信相手のビーコンが受信できている事からＳ３１３にて通常の接続動作を開始する。
【００８９】
（第２の実施形態）
なお、本発明は上記実施例のみに限定されるものではない。
【００９０】
例えば本発明の実施例では撮影した画像データを送信する際に、送信開始ボタンを押下されたときの無線端末装置の通信環境状態をプリアンブル信号送信時の内蔵アンテナの反射電力とビーコン受信時の受信ＡＧＣ電圧レベルによって判定しているが、送信開始ボタンが押下されたらまず画像データの一部を試行的に送信し、通信相手からの受信品質情報を取得して受信品質情報によって受信品質が閾値以下の場合に限って画像データを送信した無線端末の反射電力、受信ＡＧＣ電圧を検出して受信品質が劣化しているのは送信端末を操作しているユーザの手などの影響によって通信環境が悪くなっているのか否かの判定を行う。
【００９１】
無線端末の周辺の通信環境が悪くない場合はそのまま残りの画像データの送信
を継続して行う。
【００９２】
ユーザの手などによって通信環境が悪くなっているのであれば、無線端末ユーザに通信環境が良くありませんなどのメッセージを通信環境状態告知手段を用いてユーザに告知し、一定時間経過後にそのまま残りの画像データの送信を行っても良い。
【００９３】
図６に動作フローチャートを示す。
【００９４】
図５において無線端末より画像データを送信するための通信開始ボタンが押下されたらＳ４００にて通信の接続手順に従って接続動作を開始する。
【００９５】
Ｓ４０１で画像データを送信し通信相手からの受信品質情報をＳ４０２にて取得する。
【００９６】
通信相手からの受信品質情報において受信品質が良好か否かの判定をＳ４０３で判定し、良好であると判定した場合残りの画像データを接続手順に従ってＳ４１０で送信する。
【００９７】
Ｓ４０３にて通信相手からの受信品質情報において受信品質が良好でないと判定した場合Ｓ４０４にて通信相手からの受信信号のＡＧＣ電圧を格納すると共にＳ４０５でプリアンブル信号を送信しＳ４０６において反射電力が閾値以上か否かを判定する。
【００９８】
反射電力が閾値以下の場合はＳ４１０にて残りの画像データを接続手順に従って送信する。
【００９９】
反射電力が閾値以上の場合はＳ４０７にて受信ＡＧＣ電圧が閾値以上か否かを判定し閾値以下の場合は残りの画像データを接続手順に従って送信する。
【０１００】
Ｓ４０７に於いて受信ＡＧＣ電圧が閾値以上の場合はその旨のメッセージ［通信環境が良くありません］をメッセージ表示部４０３に表示する事によってユーザに告知する。
【０１０１】
一定時間内に反射電力、受信ＡＧＣ電圧に変化があり反射電力が閾値以下もしくは受信ＡＧＣ電圧が閾値以下になった場合残りの画像データを接続手順に従って送信すると共に一定時間の経過を待って反射電力、受信ＡＧＣ電圧に変化が無くその判定結果が変わらないようであれば一定時間経過後残りの画像データを接続手順に従って送信する。
【図面の簡単な説明】
【０１０２】
【図１】本発明の実施例による無線端末の無線部ブロック図
【図２】人体，手によるアンテナの入力反射特性と反射電力検出電圧の説明図
【図３】本発明の実施例による送信時の接続手順を示すフローチャート
【図４】本発明の無線端末の外観図
【図５】本発明の他の実施例による送信時の接続手順を示すフローチャート
【図６】従来のアンテナ切り換えによる無線端末の無線部ブロック図
【符号の説明】
【０１０３】
１００  内蔵アンテナ
１０１  方向性結合器
１０３  送受切り換えスイッチ
１０６  ＡＧＣ電圧レベル判定部
１０７  可変利得増幅器
１０９  ベースバンド復調器
１１０  受信レベル検出器
１１１  ＡＧＣ電圧生成部
１２０  反射電力検出器
１２１  反射電力レベル判定部
４０１  無線端末本体
４０３  メッセージ表示部
４０６  送信開始ボタン
【図１】
2006217200.tif 000003
【図２】
2006217200.tif 000004
【図３】
2006217200.tif 000005
【図４】
2006217200.tif 000006
【図５】
2006217200.tif 000007
【図６】
2006217200.tif 000008